(57)【要約】【課題】この発明はカウンターへ発熱パネルを固定する際の合理的な固定構造を提示することを目的としたものである。【解決手段】この発明は、カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定したことを特徴とするカウンターにおける発熱パネル設置装置により目的を達成した。【選択図】図１
2007309636.tif 000002
【特許請求の範囲】
【請求項１】
カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定したことを特徴とするカウンターにおける発熱パネル設置装置。
【請求項２】
カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定し、前記発熱パネル及び化粧枠の外側に仕上げ用の蓄熱合板を被着し、その外側に仕上げ材を被着したことを特徴とするカウンターにおける発熱パネル設置装置。
【請求項３】
カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定し、前記発熱パネルの外側に、仕上げ材を被着したことを特徴とするカウンターにおける発熱パネル設置装置。
【請求項４】
化粧枠の着脱自在手段は、固定枠と、化粧枠の当接面の嵌合係止としたことを特徴とする請求項１、２、３の何れか１項記載のカウンターにおける発熱パネル設置装置。
【請求項５】
固定枠と、化粧枠の組合せによる固定は、発熱パネルの上方又は上下両方或いは四周に設けたことを特徴とする請求項１、２、３の何れか１項記載のカウンターにおける発熱パネル設置装置。
【請求項６】
化粧枠の着脱自在手段は、パネル固定枠に設けた係止凹部又は係止凸部へ、配線スペースを覆う化粧枠の係止凸部又は係止凹部を嵌合係止させることを特徴とした請求項１、２、３の何れか１項記載のカウンターにおける発熱パネル設置装置。
【請求項７】
固定枠は、カウンター腰板へ発熱パネルを固定することを特徴とした請求項１、２、３の何れか１項記載のカウンターにおける発熱パネル設置装置。
【請求項８】
発熱パネルは、断熱材に、発熱フィルムを層着固定して構成したことを特徴とする請求項１、２、３の何れか１項記載のカウンターにおける発熱パネル設置装置。
【請求項９】
直角状の側面Ｌ型の取付け面を有する発熱パネル固定枠と、該発熱パネル固定枠に、配線スペースを介し、被覆して係止固定する化粧枠とを組み合せたことを特徴とする発熱パネル固定部材。
【請求項１０】
直角状の側面Ｌ型の取付け面を有する発熱パネル固定枠と、該発熱パネル固定枠に、配線スペースを介し、被覆して係止固定する化粧枠を嵌脱自在に嵌合係止したことを特徴とする請求項９記載の発熱パネル固定部材。
【請求項１１】
カウンター腰板へ固定する発熱パネルにおいて、断熱ボード、発熱シート及び伝熱板を順次層着して積層板とし、該積層板の四周に縁材を固定し、該縁材の１つに前記発熱シートの電気コードを内装したことを特徴とする発熱パネル。
【請求項１２】
少なくとも１つの縁材に、電気コードの収容空間を設け、前記縁材にカバーを着脱自在に取り付けたことを特徴とする請求項１１記載の発熱パネル。
【発明の詳細な説明】
【技術分野】
【０００１】
この発明は、壁面へ発熱パネルを固定する技術であって、既設の壁面又は新設の壁面に広狭自在でかつ容易に発熱パネルを固定できると共に、メンテナンスも容易にすることを目的としたカウンターにおける発熱パネル設置装置及び発熱パネル固定部材並びに発熱パネルに関する。
【背景技術】
【０００２】
従来電気発熱シートの用途としては、床パネル、暖房床、暖房畳などについて提案があり、床パネルについては実用化され、今後普及が見込まれている。
【０００３】
前記電気発熱シートは、絶縁フィルムに、カーボン粉末を主材とするカーボン塗料を塗布又は印刷した通電シートへ、導電条を接続し、通電により前記カーボン粉末が赤熱して遠赤外線を発生させると共に、カーボン粉末の特性上、温度上昇による抵抗増加で自動的に出力制御が可能であることから、従来知られているニクロム電熱線に代えて、今後実用化範囲が拡大される可能性が大きいと判断される。
【特許文献１】特開２００３−２４３１３４
【特許文献２】特開２００４−３１１１７８
【特許文献３】実開昭６０−１７７４８２
【発明の開示】
【発明が解決しようとする課題】
【０００４】
前記従来の床暖房は、発熱シートが薄い為に、従来の床材の性質、寸法のままで床暖房の発熱材として用いることができる利点がある。そこで発熱材の設置は、前記発熱シートを断熱パネルと、保護パネルとで挟着し、床板の下に敷設して使用している。
【０００５】
また特許出願人は、先に、カウンターの腰板に発熱パネルを貼着して、カウンター内側の暖房を発案したが、未だ固定装置については、一貫した取付け構造が開発されず、研究課題となっていた。特に垂直壁に固定する発熱パネルについては、その固定構造はもとより、形態、包装、輸送及び作業性等についても今後の研究課題であった。
【課題を解決するための手段】
【０００６】
この発明は、電気発熱シートに断熱材を層着して発熱パネルとし、この発熱パネルをカウンターの腰板へ、固定枠を介して固定し、又は枠付発熱パネルを固定することにより、前記従来の問題点を解決したのである。
【０００７】
前記固定枠には、配線スペースを設け、これに化粧枠を着脱自在に嵌合係止させることにより、この発明の主要取付け構造を完成した。
【０００８】
従来この種電気器具を設置する場合には、実際上配線の処理及び整理、メンテナンス、各部材の包装、運搬等に作業性が左右されることも珍しくない。そこで最も効率よく処理できるように、各部を研究開発し、この発明を完成したのである。
【０００９】
即ちこの発明は、カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定したことを特徴とするカウンターにおける発熱パネル設置装置であり、カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定し、前記発熱パネル及び化粧枠の外側に仕上げ用の蓄熱合板を被着し、その外側に仕上げ材を被着したことを特徴とするカウンターにおける発熱パネル設置装置である。
【００１０】
また他の発明は、カウンター腰板へ発熱パネルを当接し、該発熱パネルと、カウンター天板の下面との間へ、前記発熱パネルの固定枠を設置し、該発熱パネルの固定枠にその配線スペースを覆う化粧枠を着脱自在手段により固定し、前記発熱パネルの外側に、仕上げ材を被着したことを特徴とするカウンターにおける発熱パネル設置装置であり、化粧枠の着脱自在手段は、固定枠と、化粧枠の当接面の嵌合係止としたものであり、固定枠と、化粧枠の組合せによる固定は、発熱パネルの上方又は上下両方或いは四周に設けたものである。
【００１１】
次に、化粧枠の着脱自在手段は、パネル固定枠に設けた係止凹部又は係止凸部へ、配線スペースを覆う化粧枠の係止凸部又は係止凹部を嵌合係止させるものであり、固定枠は、カウンター腰板へ発熱パネルを固定するものであり、発熱パネルは、断熱材に、発熱フィルムを層着固定して構成したものである。
【００１２】
更に、直角状の側面Ｌ型の取付け面を有する発熱パネル固定枠と、該発熱パネル固定枠に、配線スペースを介し、被覆して係止固定する化粧枠とを組み合せたことを特徴とする発熱パネル固定部材であり、直角状の側面Ｌ型の取付け面を有する発熱パネル固定枠と、該発熱パネル固定枠に、配線スペースを介し、被覆して係止固定する化粧枠を嵌脱自在に嵌合係止したものである。
【００１３】
また、カウンター腰板へ固定する発熱パネルにおいて、断熱ボード、発熱シート及び伝熱板を順次層着して積層板とし、該積層板の四周に縁材を固定し、該縁材の１つに前記発熱シートの電気コードを内装したことを特徴とする発熱パネルであり、少なくとも１つの縁材に、電気コードの収容空間を設け、前記縁材にカバーを着脱自在に取り付けたものである。
【００１４】
前記発明において、固定枠と、化粧枠の嵌合は、雌部と雄部による場合（凹入部と凸出部の係止嵌合）、係止部による場合（一方の溝へ、他方の突起が入る）蝶番と、止片による場合など、各種例示が考えられるが、何れも採用することができる。
【００１５】
前記装置には、制御器３０を付設していて、発熱時間又は温度を設定し、所望時間、所望温度を保持できるようにしてある。従って、設定以上の温度になったり、消し忘れた為に電気を浪費するなどの欠点を未然に防止することができる。
【００１６】
前記装置によれば、既設のカウンターと、新設カウンターとにより、作業及び使用部材、外形などに若干異なる場合もあるが、発熱パネル及び固定枠並びに化粧枠は同一である。
【００１７】
前記装置によれば、発熱パネルはもとより、固定枠、化粧枠は、常時必要としているので、実質的には同一装置として取扱うことができる。
【００１８】
また固定枠のみが固定ビスを用いているので、作業性についても良好であり、発熱パネル及び固定枠などは連結方式であるから、包装、輸送、作業性についても、必要な時に必要数を連結し、小面積（例えば０．１ｍ２）から大面積（例えば１０ｍ２）でも自由に設置することができる。
【００１９】
前記発熱パネルの外形は、主として方形であるが、これに限定されることなく、方形以外の多角形又は外縁を曲線仕上げにすることもできる。要するにカウンターの取付場所に最も適合する形状にすることができる。
【００２０】
前記発熱パネルは、通常カウンターの適所へビス固定するが、両面接着テープなどの接着固定もできる。
【発明の効果】
【００２１】
この発明によれば、カウンターの縦壁のように、他物の固定作業がむつかしい場合であっても、自由、容易かつ迅速に設置し得る効果がある。また必要面積の作成が自由に選定できるので、例えば０．１ｍ２〜１０ｍ２又は１０ｍ２以上であっても、基本発熱パネルの並列使用により容易に対応することができる効果がある。
【００２２】
また配線を固定枠内へ敷設し、これに化粧枠を被着するので、メンテナンスが容易であるのみならず、故障があれば、容易に発見し、これを容易に処理することができる効果がある。
【発明を実施するための最良の形態】
【００２３】
この発明は、カウンターの腰板の発熱パネル固定位置に、発熱パネルを並列設置し、発熱パネルの上部に、この発明の固定枠を当接載置した後、前記固定枠をビスによって腰板と断熱パネルに固定し、このような作業を必要広さまで（断熱パネルの枚数により定まる）行なう。次に前記固定枠内へ発熱シート用の配線を収容した後、化粧枠を被着すれば、この発明の発熱パネルの固定作業を終了することができる。
【００２４】
この発明において、既設のカウンターへ発熱パネルを固定するには、カウンターの腰板に、前記発熱パネルを並列立設し、発熱パネルを固定枠で固定し、配線後、化粧枠を被着して、発熱パネルの外側の発熱シート面へ、耐熱クロスなどよりなる仕上げ材（化粧材）を被着することにより、全取付け作業を終了する。
【００２５】
次に新設カウンターの場合には、カウンターの腰板に発熱パネルを並列固定することは前記と同様である。この場合には、カウンターに十分のスペースを取ることができるので、前記発熱パネルの外側へ、床上からカウンターの天板下面に到達する蓄熱合板を設置して化粧板及び発熱パネルを覆った後、前記蓄熱合板の外側へ仕上げ材（例えば耐熱クロス、石板又はコルク材など）を装着すれば、この発明の新設カウンターの発熱パネル内蔵工事を終了する。
【実施例１】
【００２６】
新設カウンター用の実施例。
【００２７】
この発明の実施例を図１、２に基づいて説明すれば、カウンター１の腰板１ａの下側部へ発熱パネル２を並列設置し、前記発熱パネル２の上部へ、側面Ｌ状の固定枠３を設置する。前記固定枠３の直立部３ａをビス４により、前記腰板１ａへ固定し、水平部３ｂをビス４により、発熱パネル２の断熱材５へ固定する。前記発熱パネル２の断熱材５と発熱シート６とは、接着剤などにより一体的に貼着してある。また断熱材５と発熱シート６との間にアルミ板２０（例えば厚さ０．２ｍｍ）を介装する。
【００２８】
前記固定枠３の水平部３ｂには、奥部に拡大した係止部７ａを有する水平凹部７が設けてあり、前記水平部３ｂの上部には、側面方形の配線スペース８が設けてある。前記固定枠３の上部と側部には、側面逆Ｌ状の化粧枠９が被冠され、該化粧枠９の下部には、水平方向に係止凸部１１が突設され、該係止凸部１１の先端側には、前記拡大した係止部７ａと係止する拡大係止凸部１１ａが設けてある。図中１１ｂは、拡大係止凸部１１ａに設けた溝であって、係止凸部１１を係止凹部７へ挿入する際に、拡大係止凸部１１ａを縮小させる為の溝であり、１ｂはカウンターの天板である。
【００２９】
前記化粧枠９の上部には、捨て張板１２を張設する。前記発熱パネル２、化粧枠９及び張板１２の外側には蓄熱合板１３と、仕上げ材１４とを順次設置すれば、この発明の発熱パネル２を設置したカウンター１５が構成される。
【００３０】
前記実施例において、発熱パネル２の電源スイッチ１０を入れると、発熱パネル２は、予め定めた温度（例えば６０℃）に加熱され、その熱は、蓄熱合板１３に蓄積された後、仕上げ材１４を矢示２２のように伝導し、空気流により２３、２４、２５のように上昇して、カウンターの天板下を加温する（例えば２５℃に加温）。従ってカウンターに面して腰掛けている客も同温度で加温される。
【００３１】
前記実施例の発熱パネル２を、仕上げ材１４側より見れば、図３のようになる。即ち正方形の発熱パネル２と矩形の発熱パネル２ａとの上下を、固定枠３、３で夫々と、ビス４、４で夫々固定する。前記固定枠３、３の両側面には、互いに嵌合する凹部３ｃと、凸部３ｄが設けてあり、隣接固定枠３、３は、前記凹部３ｃと凸部３ｄによって、上下方向の高さを正確に一致させてある。前記発熱パネル２、２ａの隅部には、リード線３６ａ、３６ｂの接続部４０、４０が設けられ、中間部はコネクター４０ａ、４０ａにより接続されている。図中３０は制御器である。
【００３２】
前記実施例の発熱パネル２、２ａの外側部は、夫々固定枠３、３により確実に固定されている。前記各固定枠３、３には、夫々化粧枠９、９が被嵌してある（図２）。
【実施例２】
【００３３】
既設カウンターの実施例。
【００３４】
この発明の実施例を図５、６、７について説明すれば、カウンター１の腰板１ａの下側部へ、発熱パネル２を並列設置し、前記発熱パネル２の上部へ、側面Ｌ状の固定枠１６を設置する。前記固定枠１６の直立壁１６ａをビス４により、前記腰板１ａへ固定し、水平部１６ｂをビス４により、発熱パネル２の断熱材５へ固定する。前記発熱パネル２の断熱材５と発熱シート６とは、例えば接着剤により一体的に貼着してある。
【００３５】
前記固定枠１６の水平部１６ｂには、奥部に拡大した係止部１７ａを有する水平凹部１７が設けてあり、前記水平部１６ｂの上部には、側面方形の配線スペース１８が設けてある。前記固定枠１６の上部と側部には、斜面と垂直面とよりなる側面屋根状の化粧枠１９が被冠され、該化粧枠１９の垂直部内側には、水平方向に係止凸部２１が突設され、該係止凸部２１の先端側には、前記拡大した係止部１７ａと係止する拡大係止凸部２１ａが設けてある。図中２１ｂは、拡大係止凸部２１ａに設けた溝であって、係止凸部２１を係止凹部１７へ挿入する際に、拡大係止凸部２１ａを縮小させる為の溝である。図中１ｂはカウンターの天板、２０はアルミ板であって、アルミ板２０は、熱分布を均等にし、熱を矢示２２の方向へ反射する。
【００３６】
前記発熱パネル２、発熱シート６の外側には、仕上げ材１４を設置し、この発明の発熱パネル２を設置したカウンター１が構成される。
【００３７】
前記実施例において、発熱パネル２の電源スイッチ１０を入れると、発熱パネル２は、予め定めた温度（例えば６０℃）に加熱され、その熱は仕上げ材２６を矢示２２のように伝導し、矢示２３、２４、２５のように上昇してカウンター天板１５の下面を加温（例えば２５℃）した後、更に上昇する。
【００３８】
既設のカウンター１へ発熱パネル２を付設する場合には、発熱パネル２とカウンター１の加温部との間に仕上げ材５０があるのみであって、熱経済を計りつつ、加温することができる。
【００３９】
前記実施例において、発熱シート６と、断熱材５との間へ、アルミ板２０（例えば０．２ｍｍ程度の薄板）を介装したが、このアルミ板２０により、前記のように熱分布を均等（炭素粉末を塗付した場合に各部の発熱量が均等とは限らないから、伝熱良好なアルミ板で均等化を図る）にすると共に、発熱量を総て、図５中矢示２２の方向へ反射する。
【実施例３】
【００４０】
この発明の他の実施例を図９（ａ）に基づいて説明すると、弧状カウンター２８の前面に変形容易な素材よりなる発熱パネル２９を貼着したものである。前記における変形容易な素材は耐熱性合成樹脂（例えばポリプロピレン、塩化ビニリデン、ナイロン、又はアルミニューム薄板などが考えられる）をベースシート及び被覆シートに用いる。また反射板としては、耐熱性シートにアルミニウムを蒸着すれば、十分使用できる。前記における発熱による温度は１００℃以下とすれば、使用材について熱的支障はない。
【００４１】
次に図９（ｂ）によれば、波形カウンター２７の前面に発熱パネル２９を貼着した場合を示す。
【００４２】
また図９（ｃ）は、円筒形カウンター２７ａの前面に発熱パネル２９を貼着した場合を示す。
【００４３】
前記図９（ａ）、（ｂ）、（ｃ）に示すように貼着部が曲面であっても支障なく、この発明を実施することができる。
【００４４】
前記実施例において、変形容易な素材として耐熱性合成樹脂を上げたが、アルミ板（例えば厚さ０．２ｍｍ）を使用した場合であっても、カウンターの湾曲面に応じて密着することができる。
【００４５】
また前記アルミ板の表面に絶縁フィルムをラミネートし、その上に炭素粉末を塗布又は印刷することもできる。
【実施例４】
【００４６】
発熱シートの実施例。
【００４７】
この発明において使用する発熱シート６を図１０、１１について説明すれば、次のとおりである。
【００４８】
ポリエステルフィルム３１上へ、炭素粉塗料による発熱層３２、３２を所定の幅と長さに塗布（印刷）すると共に、前記発熱層３２、３２と間隙をおいて、銀塗料により基導電条３３ａ、３３ｂ、３３ｃ、３３ｄ、３３ｅを平行に塗布する。前記基導電条３３ａ、３３ｂ、３３ｃ、３３ｄ、３３ｅに直角に、枝導電条３４ａ、３４ｂを前記発熱層上へ夫々塗布して、その一端を、前記基導電条３３ａ、３３ｂ、３３ｃ、３３ｄ、３３ｅへ夫々接続して配線を確定し、前記基導電条３３ａ、３３ｂ、３３ｃ、３３ｄ、３３ｅの一端は、夫々銀箔よりなる集電条３５ａ、３５ｂに接続し、該集電条３５ａ、３５ｂは夫々リード線３６ａ、３６ｂに接続し、リード線３６ａ、３６ｂはテープコード３７（絶縁テープに埋設）として、接続器（プラグなど）に接続してある。前記発熱層３２、３２と、基導電条３３ａ、３３ｂ及び枝導電条３４ａ、３４ｂの上部へ、ポリエステルフィルム３１ａを被着し、一体化して発熱シート６を構成する（図１０、１１）。
【００４９】
前記発熱シート６の一側へ発泡ポリエステル板３８を層着し、その外側へ貼着剤層３９を層着する。また、発熱シート６の他側へ、ベニヤ板４１と、化粧板４２とを順次層着し、一体化してこの発明の発熱パネル２を得た（図１０、１１）。前記発熱パネル２は、使用板材の厚さによって、５ｍｍ〜１０ｍｍ位の厚さにするが、厚さに限定されるものではない。またベニヤ板４１と、化粧板４２とは、表装材として一枚とすることができる。前記における発泡ポリエステル板３８は断熱材である。図中４３は剥離紙である。
【００５０】
前記実施例において、テープコード３７のリード線３６ａ、３６ｂから集電条としての銀箔３５を介して、基導電条３３ａに送電すると、矢示４４、４６、４７、４８のように、枝導電条３４ａ、発熱層３２、枝導電条３４ａ、基導電条３３ｂを経て、銀箔３５ｂよりリード線３６ｂに至り回路を完結する。従って、炭素粉塗料を、上限温度６０℃とするように定めれば、この発明の発熱シート６は６０℃を上限として加温される。従って、発熱シート６の上限温度を６０℃に定めておけば、発熱パネル２も上限温度６０℃となり、不慮の通電は抵抗層により電流が自動遮断される為に、火災その他の過熱事故を生じるおそれはない。
【００５１】
前記発熱パネル２は、発熱シート６の一側に発泡ポリエステル板３８（断熱ボード）を層着したので、発熱シート６で発生した熱は、矢示４９の方向へ伝播する。従って、発熱量は全部有効に使用される。
【実施例５】
【００５２】
この発明の発熱パネル５０の実施例を図１２、図１３に基づいて説明すると、取付側（カウンター側）から、ベース板５１に断熱ボード５２を重ね、断熱ボード５２に発熱シート５３を重ね、該発熱シート５３に繊維強化セメント板５４を重ね、該繊維強化セメント板５４の外面にガラス長繊維クロス５５を被着して積層板５６とし、この積層板５６の上下縁にアルミ枠５７、５７（線材）を嵌着固定し、該アルミ枠５７、５７に合成樹脂カバー５８、５８を嵌着し、前記アルミ枠５７、５７の左右縦縁部にアルミ角棒５９、５９を並列設置してその上下端を前記アルミ枠５７に夫々ビス６２で固定し、前記発熱シート５３の電気コード６０を、前記アルミ枠５７と合成樹脂カバー５８により生じた上部の空間６１へ収容して、発熱パネル５０を構成した。
【００５３】
前記発熱パネル５０の寸法形状は自由であり、カウンターの取付位置の形状に合致させることができるが、通常方形（主として矩形）であり、幅及び高さは容易に変更することができる。従って前記発熱パネル５０をカウンターの適所に固定すれば、所定の暖房器として保温することができる。
【００５４】
前記発熱パネルは、通常カウンターの頂板の下部、縦壁に固着するが、ガラス長繊維クロス５５は色彩、模様又はその組み合わせをすれば、適宜の意匠観にすることができる。
【００５５】
前記実施例においては、ベース板５１を用いたが、断熱ボード５２に強度と、断熱性兼用の材質を使用すれば（例えば発泡樹脂板と、有機板又は無機板の合板との積層板にする）ベース板５１を省略することができる。また繊維強化セメント板５４の色彩、模様などの意匠を考慮すれば、ガラス繊維クロスを省略することもできる。
【００５６】
前記実施例において、アルミ枠５７は、断面Ｈ型の一側部５７ａを積層板５６への嵌着部とし、他側部の長片端の段部５７ｂと、短片５７ｃとへ、合成樹脂カバー５８の端突部５８ａと、基部鉤部５８ｂと突部５８ｃとを嵌着係止し、前記合成樹脂カバー５８が上下方向へ脱抜できないようにしてある。
【００５７】
前記実施例における断熱ボード５２及び繊維強化セメント板５４については、電気絶縁性で断熱性、又は伝熱性があれば、実施例の材質に限定されるものではなく、従来同一目的に使用されている板材を使用することができる。
【図面の簡単な説明】
【００５８】
【図１】この発明の実施例の一部を省略した断面図。
【図２】同じく化粧枠取付け状態の発熱パネルの実施例の拡大正面図。
【図３】同じく固定枠、発熱パネル取付け状態の発熱パネルの実施例の拡大正面図。
【図４】（ａ）同じく固定枠の正面図、（ｂ）同じく化粧枠の正面図、（ｃ）同じく固定枠と化粧枠との嵌合を示す一部説明図、（ｄ）同じく設置状態の一部断面図。
【図５】同じく他の実施例の一部を省略した断面図。
【図６】同じく化粧枠の取付け状態を示す拡大正面図。
【図７】同じく固定枠と発熱パネル取付け状態を示す正面図。
【図８】（ａ）同じく固定枠の実施例の正面拡大図、（ｂ）同じく化粧枠の実施例の正面図、（ｃ）同じく化粧枠の実施例の側面図、（ｄ）同じく嵌合凹部と、凸部の嵌合状態を示す説明図、（ｅ）同じく一部を省略した組立状態の側面図。
【図９】（ａ）同じく他の実施例の斜視図、（ｂ）同じく他の実施例の斜視図、（ｃ）同じく円筒形の実施例の斜視図。
【図１０】（ａ）同じく発熱シートの一部を破切した平面図、（ｂ）同じく一部断面拡大図、（ｃ）同じく一部横断面拡大図。
【図１１】（ａ）同じく発熱パネルの一部を省略し、一部を破切した平面図、（ｂ）同じく一部拡大断面図。
【図１２】同じく発熱パネルの一部を省略した正面図。
【図１３】同じく一部を省略した断面拡大図。
【図１４】同じくアルミ角棒の固定を示す一部を省略した拡大斜視図。
【符号の説明】
【００５９】
１  カウンター
２  発熱パネル
３  固定枠
４  ビス
５  断熱材
６  発熱シート
７  水平凹部
８  配線スペース
９  化粧枠
１１  係止凸部
１２  張板
１３  蓄熱合板
１４  仕上げ材
１５  カウンターの天板
１６  固定枠
１８  配線スペース
１９  化粧枠
２０  カウンター
２６、３０  仕上げ材
５０  発熱パネル
【図１】
2007309636.tif 000003
【図２】
2007309636.tif 000004
【図３】
2007309636.tif 000005
【図４】
2007309636.tif 000006
【図５】
2007309636.tif 000007
【図６】
2007309636.tif 000008
【図７】
2007309636.tif 000009
【図８】
2007309636.tif 000010
【図９】
2007309636.tif 000011
【図１０】
2007309636.tif 000012
【図１１】
2007309636.tif 000013
【図１２】
2007309636.tif 000014
【図１３】
2007309636.tif 000015
【図１４】
2007309636.tif 000016